(57)【要約】【課題】刃部の耐摩耗性を高めて、工具寿命の向上を図ることができるドリル及びドリルの製造方法を提供すること。【解決手段】ドリル１００によれば、単結晶ダイヤモンドの結晶面の中で最も硬さに優れているとされる（１１１）結晶面により中心軸線Ｃに直角な刃部２０の断面を構成することで、中心軸線Ｃの方向、即ち、被削材を削り込む方向に対する刃部２０の耐摩耗性を高めることができる。これにより、工具寿命の向上を図ることができる。【選択図】図１
2010036295.tif 000002
【特許請求の範囲】
【請求項１】
軸心回りに回転される工具本体と、その工具本体の一端に設けられると共に単結晶ダイヤモンドから構成され先端が凸の角錐状に形成される刃部とを備えたドリルにおいて、
前記刃部は、前記先端を通る中心軸線が前記工具本体の軸心と前記単結晶ダイヤモンドの（１１１）結晶軸とに一致しており、前記中心軸線に直角な前記刃部の断面が前記単結晶ダイヤモンドの（１１１）結晶面により構成されていることを特徴とするドリル。
【請求項２】
前記刃部は、正六面体であって各面が（１００）結晶面からなる人工の単結晶ダイヤモンドから構成され、前記単結晶ダイヤモンドの頂点を前記先端とする三角錐状に形成されていることを特徴とする請求項１記載のドリル。
【請求項３】
前記工具本体は、前記一端に凹設され前記刃部が嵌め入れられる凹部を備え、
前記刃部は、前記先端の対角線上に位置する前記単結晶ダイヤモンドの頂点が前記凹部に嵌め入れられた状態で前記工具本体にろう付けされていることを特徴とする請求項２記載のドリル。
【請求項４】
前記凹部は、前記工具本体の軸心上に頂点を有する円錐状に形成されていることを特徴とする請求項３記載のドリル。
【請求項５】
前記凹部は、前記工具本体の軸心上に頂点を有する三角錐状に形成されていることを特徴とする請求項３記載のドリル。
【請求項６】
軸心回りに回転される工具本体と、その工具本体の一端に設けられると共に正六面体であって各面が（１００）結晶面からなる人工の単結晶ダイヤモンドから構成され前記単結晶ダイヤモンドの頂点を先端とする三角錐状に形成される刃部とを備えたドリルの製造方法において、
前記刃部が嵌め入れられる凹部を前記工具本体の一端に凹設する凹設工程と、
その凹設工程により前記工具本体の一端に凹設された凹部に前記刃部を嵌め入れてろう付けするろう付け工程とを備え、
そのろう付け工程は、前記刃部の先端を通る中心軸線を前記工具本体の軸心と前記単結晶ダイヤモンドの（１１１）結晶軸とに一致させて前記先端の対角線上に位置する前記単結晶ダイヤモンドの頂点を前記凹部に嵌め入れた状態で前記刃部を前記工具本体にろう付けするものであることを特徴とするドリルの製造方法。
【請求項７】
前記凹設工程は、前記凹部を前記工具本体の軸心上に頂点を有する円錐状または三角錐状に形成するものであることを特徴とする請求項６記載のドリルの製造方法。
【発明の詳細な説明】
【技術分野】
【０００１】
本発明は、単結晶ダイヤモンドから構成され先端が凸の角錐状に形成される刃部を備えたドリル及びドリルの製造方法に関し、特に、刃部の耐摩耗性を高めて、工具寿命の向上を図ることができるドリル及びドリルの製造方法に関するものである。
【背景技術】
【０００２】
従来より、単結晶ダイヤモンドから構成され先端が凸の角錐状に形成される刃部を備えたドリルが知られている。この種のドリルに関し、例えば、特許文献１には、六面体であって各面が（１００）結晶面からなる人工の単結晶ダイヤモンドから構成され、中心線が単結晶ダイヤモンドの（１００）結晶軸に一致する刃部を備えたドリルが開示されている。
【特許文献１】特開２００２−３６０１７号公報
【発明の開示】
【発明が解決しようとする課題】
【０００３】
ところで、単結晶ダイヤモンドは、極めて硬い性質を備えているものの、結晶面の違いにより硬さが異なり、（１００）結晶面は結晶面の中でも比較的に軟らかいとされている。このため、上述した特許文献１に開示されるドリルでは、刃部の中心線を単結晶ダイヤモンドの（１００）結晶軸に一致させることで、中心線に直角な刃部の断面が単結晶ダイヤモンドの結晶面の中でも比較的に軟らかい（１００）結晶面により構成されるので、刃部の耐摩耗性を十分に確保できず、工具寿命が不十分であるという問題点があった。
【０００４】
本発明は、上述した問題点を解決するためになされたものであり、刃部の耐摩耗性を高めて、工具寿命の向上を図ることができるドリル及びドリルの製造方法を提供することを目的としている。
【課題を解決するための手段】
【０００５】
この目的を達成するために請求項１記載のドリルは、軸心回りに回転される工具本体と、その工具本体の一端に設けられると共に単結晶ダイヤモンドから構成され先端が凸の角錐状に形成される刃部とを備えるものであって、前記刃部は、前記先端を通る中心軸線が前記工具本体の軸心と前記単結晶ダイヤモンドの（１１１）結晶軸とに一致しており、前記中心軸線に直角な前記刃部の断面が前記単結晶ダイヤモンドの（１１１）結晶面により構成されている。
【０００６】
請求項２記載のドリルは、請求項１記載のドリルにおいて、前記刃部は、正六面体であって各面が（１００）結晶面からなる人工の単結晶ダイヤモンドから構成され、前記単結晶ダイヤモンドの頂点を前記先端とする三角錐状に形成されている。
【０００７】
請求項３記載のドリルは、請求項２記載のドリルにおいて、前記工具本体は、前記一端に凹設され前記刃部が嵌め入れられる凹部を備え、前記刃部は、前記先端の対角線上に位置する前記単結晶ダイヤモンドの頂点が前記凹部に嵌め入れられた状態で前記工具本体にろう付けされている。
【０００８】
請求項４記載のドリルは、請求項３記載のドリルにおいて、前記凹部は、前記工具本体の軸心上に頂点を有する円錐状に形成されている。
【０００９】
請求項５記載のドリルは、請求項３記載のドリルにおいて、前記凹部は、前記工具本体の軸心上に頂点を有する三角錐状に形成されている。
【００１０】
請求項６記載のドリルの製造方法は、軸心回りに回転される工具本体と、その工具本体の一端に設けられると共に正六面体であって各面が（１００）結晶面からなる人工の単結晶ダイヤモンドから構成され前記単結晶ダイヤモンドの頂点を先端とする三角錐状に形成される刃部とを備えたドリルの製造方法であって、前記刃部が嵌め入れられる凹部を前記工具本体の一端に凹設する凹設工程と、その凹設工程により前記工具本体の一端に凹設された凹部に前記刃部を嵌め入れてろう付けするろう付け工程とを備え、そのろう付け工程は、前記刃部の先端を通る中心軸線を前記工具本体の軸心と前記単結晶ダイヤモンドの（１１１）結晶軸とに一致させて前記先端の対角線上に位置する前記単結晶ダイヤモンドの頂点を前記凹部に嵌め入れた状態で前記刃部を前記工具本体にろう付けするものである。
【００１１】
請求項７記載のドリルの製造方法は、請求項６記載のドリルの製造方法において、前記凹設工程は、前記凹部を前記工具本体の軸心上に頂点を有する円錐状または三角錐状に形成するものである。
【発明の効果】
【００１２】
請求項１記載のドリルによれば、刃部の先端を通る中心軸線が工具本体の軸心と単結晶ダイヤモンドの（１１１）結晶軸とに一致しており、中心軸線に直角な刃部の断面が単結晶ダイヤモンドの（１１１）結晶面により構成されている。
【００１３】
よって、単結晶ダイヤモンドの結晶面の中で最も硬さに優れているとされる（１１１）結晶面を中心軸線に直角な刃部の断面とすることで、中心軸線の方向、即ち、被削材を削り込む方向に対する刃部の耐摩耗性を高めることができる。これにより、工具寿命の向上を図ることができるという効果がある。
【００１４】
請求項２記載のドリルによれば、請求項１記載のドリルの奏する効果に加え、刃部は、正六面体であって各面が（１００）結晶面からなる人工の単結晶ダイヤモンドから構成されているので、天然の単結晶ダイヤモンドと比較して形状に歪みの少ない人工の単結晶ダイヤモンドから刃部を構成することで、刃部の中心軸線を単結晶ダイヤモンドの（１１１）結晶軸に精度良く一致させることができるという効果がある。
【００１５】
また、刃部は、単結晶ダイヤモンドの頂点を先端とする三角錐状に形成されているので、単結晶ダイヤモンドの原形を活かして刃部を形成することができる。よって、単結晶ダイヤモンドを複雑に加工する必要がなく、刃部を容易に形成することができるという効果がある。
【００１６】
請求項３記載のドリルによれば、請求項２記載のドリルの奏する効果に加え、刃部は、先端の対角線上に位置する単結晶ダイヤモンドの頂点が凹部に嵌め入れられた状態で工具本体にろう付けされているので、単結晶ダイヤモンドを原形のまま刃部として使用することができる。よって、単結晶ダイヤモンドを加工する必要がなく、製造コストの低減を図ることができるという効果がある。
【００１７】
また、刃部は、凹部に嵌め入れられた状態で工具本体にろう付けされているので、単に刃部を工具本体の端面にろう付けする場合と比較して、ろう付け面積を大きく確保することができ、工具本体と刃部との接合強度を高めることができるという効果がある。
【００１８】
請求項４記載のドリルによれば、請求項３記載のドリルの奏する効果に加え、凹部は、工具本体の軸心上に頂点を有する円錐状に形成されているので、刃部を凹部に嵌め入れることで、凹部の内壁面により刃部を位置決めすることができる。よって、刃部を凹部に嵌め入れるだけで、刃部の中心軸線と工具本体の軸心とを容易かつ精度良く一致させることができるという効果がある。
【００１９】
また、凹部は、円錐状に形成されているので、工具本体を複雑に加工する必要がなく、凹部を容易に形成することができるという効果がある。
【００２０】
請求項５記載のドリルによれば、請求項３記載のドリルの奏する効果に加え、凹部は、工具本体の軸心上に頂点を有する三角錐状に形成されているので、刃部を凹部に嵌め入れることで、凹部の内壁面により刃部を位置決めすることができる。よって、刃部を凹部に嵌め入れるだけで、刃部の中心軸線と工具本体の軸心とを容易かつ精度良く一致させることができるという効果がある。
【００２１】
また、凹部は、三角錐状に構成されているので、凹部の形状を凹部に嵌め入れられる刃部の形状に対応させて、工具本体と刃部との接合強度を高めることができるという効果がある。
【００２２】
請求項６記載のドリルの製造方法によれば、ろう付け工程は、刃部の先端を通る中心軸線を工具本体の軸心と単結晶ダイヤモンドの（１１１）結晶軸とに一致させて先端の対角線上に位置する単結晶ダイヤモンドの頂点を凹部に嵌め入れた状態で刃部を工具本体にろう付けするものである。
【００２３】
よって、中心軸線に直角な刃部の断面を単結晶ダイヤモンドの（１１１）結晶面により構成することができるので、単結晶ダイヤモンドの結晶面の中で最も硬さに優れているとされる（１１１）結晶面を中心軸線に直角な刃部の断面とすることで、中心軸線の方向、即ち、被削材を削り込む方向に対する刃部の耐摩耗性を高めることができる。これにより、工具寿命の向上を図ることができるという効果がある。
【００２４】
また、ろう付け工程は、先端の対角線上に位置する単結晶ダイヤモンドの頂点を凹部に嵌め入れた状態で刃部を工具本体にろう付けするので、単結晶ダイヤモンドを原形のまま刃部として使用することができる。よって、単結晶ダイヤモンドを加工する必要がなく、製造コストの低減を図ることができるという効果がある。
【００２５】
更に、ろう付け工程は、刃部を凹部に嵌め入れた状態で工具本体にろう付けするので、単に刃部を工具本体の端面にろう付けする場合と比較して、ろう付け面積を大きく確保することができ、工具本体と刃部との接合強度を高めることができるという効果がある。
【００２６】
請求項７記載のドリルの製造方法によれば、請求項６記載のドリルの製造方法の奏する効果に加え、凹設工程は、凹部を工具本体の軸心上に頂点を有する円錐状または三角錐状に形成するので、刃部を凹部に嵌め入れることで、凹部の内壁面により刃部を位置決めすることができる。よって、刃部を凹部に嵌め入れるだけで、刃部の中心軸線と工具本体の軸心とを容易かつ精度良く一致させることができるという効果がある。
【発明を実施するための最良の形態】
【００２７】
以下、本発明の好ましい実施の形態について、添付図面を参照して説明する。まず、図１及び図２を参照して、本発明の第１実施の形態におけるドリル１００について説明する。図１（ａ）は、第１実施の形態におけるドリル１００の側面図であり、図１（ｂ）は、図１（ａ）の矢印Ｉｂ方向から視たドリル１００の正面図である。また、図２（ａ）は、図１（ａ）の矢印Ｉｂ方向から視た工具本体１０の正面図であり、図２（ｂ）は、図２（ａ）のＩＩｂ−ＩＩｂ線における工具本体１０の断面図である。なお、図１（ａ）及び図２（ｂ）では、工具本体１０の軸心Ｏ方向の長さを一部省略して図示している。
【００２８】
ドリル１００は、マシニングセンタ等の加工機械から伝達される回転力により被削材（主に、セラミックス、シリコン又は石英ガラスなどの硬脆性材料やアルミ又は銅などの非鉄金属）に穴あけ加工を行うための切削工具であり、図１に示すように、タングステンカーバイト（ＷＣ）等を加圧焼結した超硬合金から構成される工具本体１０と、その工具本体１０の一端に取り付けられ人工の単結晶ダイヤモンドから構成される刃部２０とを備えて構成されている。なお、工具本体１０は、超硬合金に限られず、高速度工具鋼などから構成しても良い。
【００２９】
工具本体１０は、刃部２０が取り付けられるボデー部１１と、そのボデー部１１に連設されボデー部１１よりも大径に構成されるシャンク部１２とを備え、全体として軸心Ｏを中心軸とする円柱状に形成されている。この工具本体１０は、シャンク部１２を介して加工機械に保持されることで、加工機械から伝達される回転力により軸心Ｏ回りに回転される。
【００３０】
図１（ａ）に示すように、工具本体１０の一端（ボデー部１１の先端）には、刃部２０が嵌め入れられる凹部１３が凹設されている。凹部１３は、図２（ａ）及び（ｂ）に示すように、工具本体１０の軸心Ｏ上に頂点を有し、且つ、直角二等辺三角形（即ち、隣り合う２辺のなす角度Ｘが直角で、かかる２辺の長さＬが等しい三角形）の角錐面を有する三角錐状に形成されている。
【００３１】
刃部２０は、人工的に合成され各面が（１００）結晶面からなる正六面体の単結晶ダイヤモンドから構成され、単結晶ダイヤモンドの頂点を先端Ｅとする三角錐状に形成されている。即ち、刃部２０は、先端Ｅを通る中心軸線Ｃが単結晶ダイヤモンドの（１１１）結晶軸に一致しており、中心軸線Ｃに直角な刃部２０の断面が単結晶ダイヤモンドの（１１１）結晶面により構成されている。この刃部２０は、隣り合う（１００）結晶面の稜線が切れ刃として作用することで、工具本体１０の回転に伴って被削材に穴あけ加工を行う。なお、本実施の形態では、隣り合う切れ刃２１を形成する稜線同士のなす角度が９０度とされ、切れ刃２１が単結晶ダイヤモンドの（１１０）結晶面により構成されている。
【００３２】
このように、刃部２０は、人工の単結晶ダイヤモンドから構成されているので、天然の単結晶ダイヤモンドと比較して形状に歪みの少ない人工の単結晶ダイヤモンドから刃部２０を構成することで、刃部２０の中心軸線Ｃを単結晶ダイヤモンドの（１１１）結晶軸に精度良く一致させることができる。
【００３３】
また、刃部２０は、単結晶ダイヤモンドの頂点を先端Ｅとする三角錐状に形成されているので、単結晶ダイヤモンドの原形を活かして刃部２０を形成することができる。よって、単結晶ダイヤモンドを複雑に加工する必要がなく、刃部２０を容易に形成することができる。
【００３４】
刃部２０は、図１（ａ）に示すように、先端Ｅの対角線上に位置する単結晶ダイヤモンドの頂点が凹部１３に嵌め入れられた状態でろう付けされ、先端Ｅを通る中心軸線Ｃが軸心Ｏと一致するように工具本体１０に取り付けられている。
【００３５】
このように、刃部２０は、先端Ｅの対角線上に位置する単結晶ダイヤモンドの頂点が凹部１３に嵌め入れられた状態でろう付けされているので、単結晶ダイヤモンドを原形のまま刃部２０として使用することができる。よって、単結晶ダイヤモンドを加工する必要がなく、製造コストの低減を図ることができる。
【００３６】
また、刃部２０は、凹部１３に嵌め入れられた状態でろう付けされているので、単に刃部２０を工具本体１０の端面にろう付けする場合と比較して、ろう付け面積を大きく確保することができ、工具本体１０と刃部２０との接合強度を高めることができる。
【００３７】
なお、刃部２０は、図１（ｂ）に示すように、先端Ｅ方向から視た輪郭が工具本体１０のボデー部１１の外径よりも大きく構成され、ボデー部１１の外径を加工穴の内径よりも小さくすることで、刃部２０の高さ（図１（ｂ）紙面表裏方向の寸法）よりも深い穴の穴あけ加工を行うことが可能とされている。
【００３８】
次いで、上述したように構成されるドリル１００の製造方法について説明する。ドリル１００を製造するにあたっては、まず、超硬合金から構成されるブランク（図示せず）にボデー部１１及びシャンク部１２を加工して工具本体１０を形成する（工具本体形成工程）。
【００３９】
工具本体形成工程の後は、工具本体１０に放電加工を施して、工具本体１０の一端（ボデー部１２の先端）に凹部１３を凹設する（凹設工程）。なお、凹設工程では、上述したように、凹部１３を工具本体１０の軸心Ｏ上に頂点を有する三角錐状に形成する。
【００４０】
凹設工程の後は、各面が（１００）結晶面からなる六面体の単結晶ダイヤモンドから構成される刃部２０を凹部１３に嵌め入れた状態で工具本体１０にろう付けする（ろう付け工程）。なお、ろう付け工程では、上述したように、先端Ｅの対角線上に位置する単結晶ダイヤモンドの頂点を凹部１３に嵌め入れた状態で刃部２０を工具本体１０にろう付けする。
【００４１】
以上説明したように、本実施の形態におけるドリル１００によれば、単結晶ダイヤモンドの結晶面の中で最も硬さに優れているとされる（１１１）結晶面により中心軸線Ｃに直角な刃部２０の断面を構成することで、中心軸線Ｃの方向、即ち、被削材を削り込む方向に対する刃部２０の耐摩耗性を高めることができる。これにより、工具寿命の向上を図ることができる。
【００４２】
また、凹部１３は、工具本体１０の軸心Ｏ上に頂点を有する三角錐状に形成されているので、刃部２０を凹部１３に嵌め入れることで、凹部１３の内壁面により刃部２０を位置決めすることができる。これにより、刃部２０の中心軸線Ｃと工具本体１０の軸心Ｏとを容易かつ精度良く一致させることができる。
【００４３】
更に、凹部１３は、直角二等辺三角形の角錐面を有する三角錐状に形成されているので、凹部１３の形状を凹部１３に嵌め入れられる刃部２０の形状に対応させることで、工具本体１０と刃部２０との接合強度を高めることができる。
【００４４】
次いで、図３を参照して、第２実施の形態におけるドリル２００について説明する。なお、第１実施の形態と同一の構成については同一の符号を付して、その説明を省略する。
【００４５】
図３（ａ）は、第２実施の形態におけるドリル２００の側面図である。また、図３（ｂ）は、図３（ａ）の矢印ＩＩＩｂ方向から視た工具本体２１０の正面図であり、図３（ｃ）は、図３（ｂ）のＩＩＩｃ−ＩＩＩｃ線における工具本体２１０の断面図である。なお、図３（ａ）及び（ｃ）では、工具本体２１０の軸心Ｏ方向の長さを一部省略して図示している。
【００４６】
第２実施の形態におけるドリル２００は、図３（ａ）に示すように、工具本体２１０と、刃部２０とを備えて構成されている。また、工具本体２１０の一端（ボデー部１１の先端）には、刃部２０が嵌め入れられる凹部２１３が凹設されている。凹部２１３は、図３（ｂ）及び（ｃ）に示すように、工具本体２１０の軸心Ｏ上に頂点を有し、且つ、頂角Ｘが直角の円錐状に形成されている。
【００４７】
ドリル２００の製造方法については、第１実施の形態におけるドリル１００の製造方法と同様であるため、その説明を省略する。なお、凹設工程では、工具本体２１０に切削加工を施して、工具本体２１０の一端（ボデー部１１の先端）に凹部２１３を凹設し、上述したように、凹部２１３を工具本体２１０の軸心Ｏ上に頂点を有する円錐状に形成する。
【００４８】
以上説明したように、本実施の形態におけるドリル２００によれば、凹部２１３は、工具本体２１０の軸心Ｏ上に頂点を有する円錐状に形成されているので、第１実施の形態におけるドリル１００と同様に、刃部２０を凹部２１３に嵌め入れることで、凹部２１３の内壁面により刃部２０を位置決めすることができる。これにより、刃部２０の中心軸線Ｃと工具本体２１０の軸心Ｏとを容易かつ精度良く一致させることができる。
【００４９】
また、凹部２１３は、円錐状に形成されているので、工具本体２１０を複雑に加工する必要がなく、凹部２１３を容易に形成することができる。
【００５０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００５１】
例えば、上記実施の形態では、単結晶ダイヤモンドを原形のまま刃部２０として使用する場合を説明したが、必ずしもこれに限られるものではなく、先端Ｅ方向から視た輪郭の角部に対応する単結晶ダイヤモンドの頂点を工具本体１０の軸心Ｏと平行に切り欠いて、かかる角部に研磨面を設けても良い。この場合には、研磨面により加工穴の内壁面を研磨することができ、加工穴の面粗さの向上を図ることができる。
【００５２】
また、上記実施の形態では、刃部２０は、隣り合う切れ刃２１を形成する稜線同士のなす角度が９０°とされ、切れ刃２１が単結晶ダイヤモンドの（１１０）結晶面により構成される場合を説明したが、必ずしもこれに限られるものではなく、隣り合う切れ刃２１を形成する稜線同士のなす角度を８０°以上かつ１００°以下の範囲内に設定しても良い。即ち、隣り合う切れ刃２１を形成する稜線同士のなす角度が８０°よりも小さい場合には、中心軸線Ｃに直角な刃部２０の断面積が減少して、刃部２０に欠けが生じ易くなると共に、隣り合う切れ刃２１を形成する稜線同士のなす角度が１００°よりも大きい場合には、被削材に食い付き難くなり、振れが生じ易くなる。これに対し、隣り合う切れ刃２１を形成する稜線同士のなす角度を８０°以上かつ１００°以下の範囲内に設定することで、刃部２０の欠けを抑制して、工具寿命の向上を図ると共に、振れを抑制して、加工精度の向上を図ることができる。
【図面の簡単な説明】
【００５３】
【図１】（ａ）は、第１実施の形態におけるドリルの側面図であり、（ｂ）は、図１（ａ）の矢印Ｉｂ方向から視たドリルの正面図である。
【図２】（ａ）は、図１（ａ）の矢印Ｉｂ方向から視た工具本体の正面図であり、（ｂ）は、図２（ａ）のＩＩｂ−ＩＩｂ線における工具本体の断面図である。
【図３】（ａ）は、第２実施の形態におけるドリルの側面図であり、（ｂ）は、図３（ａ）の矢印ＩＩＩｂ方向から視た工具本体の正面図であり、（ｃ）は、図３（ｂ）のＩＩＩｃ−ＩＩＩｃ線における工具本体の断面図である。
【符号の説明】
【００５４】
１００，２００              ドリル
１０，２１０                工具本体
１３，２１３                凹部
２０                        刃部
Ｃ                          中心軸線
Ｅ                          先端
Ｏ                          軸心
【図１】
2010036295.tif 000003
【図２】
2010036295.tif 000004
【図３】
2010036295.tif 000005